(57)【要約】【課題】この発明は、静止シーン等に影響されることなく、入力された映像信号が２−２プルダウン信号であるか否かを正確に検出することができるようにした２−２プルダウン信号検出装置及び２−２プルダウン信号検出方法を提供することを目的としている。【解決手段】フィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、入力映像信号に対する２−２プルダウン信号との判定を継続する。【選択図】    図３
2007053695.tif 000002
【特許請求の範囲】
【請求項１】
入力映像信号の所定のフィールドの信号と、その１フィールド遅延信号との相関を検出し、相関が“強”であるか“弱”であるかの検出結果を出力するフィールド間相関検出手段と、
前記入力映像信号の所定のフィールドの信号と、その２フィールド遅延信号との相関を検出し、相関が“強”であるか“弱”であるかの検出結果を出力するフレーム間相関検出手段と、
前記フィールド間相関検出手段で検出されたフィールド間相関が、所定のフィールド数に渡って２−２プルダウンパターンに一致している場合、前記入力映像信号を２−２プルダウン信号と判定する第１の判定手段と、
前記第１の判定手段により入力映像信号が２−２プルダウン信号と判定されている状態で、前記フィールド間相関が２−２プルダウンパターンに一致しなくなったとき、前記フィールド間相関の２−２プルダウンパターン上“強”であるべきところが“弱”になっているか否かを判定する第２の判定手段と、
前記第２の判定手段で前記フィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、前記入力映像信号に対する２−２プルダウン信号との判定を継続する第３の判定手段とを具備することを特徴とする２−２プルダウン信号検出装置。
【請求項２】
前記第３の判定手段は、所定のフィールド数に渡って前記条件が成立した場合に、前記入力映像信号が２−２プルダウン信号ではないと判定することを特徴とする請求項１記載の２−２プルダウン信号検出装置。
【請求項３】
前記第３の判定手段は、所定のフィールド数に渡って前記条件が成立したことにより、前記入力映像信号が２−２プルダウン信号であるとの判定から抜けた場合、前記第１の判定手段で前記入力映像信号を２−２プルダウン信号と判定するためのフィールド数を少なく設定することを特徴とする請求項２記載の２−２プルダウン信号検出装置。
【請求項４】
前記第３の判定手段は、所定のフィールド数に渡って前記条件が成立したことにより、前記入力映像信号が２−２プルダウン信号であるとの判定から抜けた時点から、所定期間内に２−２プルダウン信号が検出されなかった場合、前記第１の判定手段で前記入力映像信号を２−２プルダウン信号と判定するためのフィールド数を元の数に戻すことを特徴とする請求項３記載の２−２プルダウン信号検出装置。
【請求項５】
前記第３の判定手段は、前記条件が成立しても所定のフィールド数以内であれば、前記入力映像信号に対する２−２プルダウン信号との判定を継続することを特徴とする請求項２記載の２−２プルダウン信号検出装置。
【請求項６】
前記第２の判定手段は、前記フィールド間相関の２−２プルダウンパターン上“強”であるべきところが“弱”になっている場合、前記入力映像信号が２−２プルダウン信号ではないと判定することを特徴とする請求項１記載の２−２プルダウン信号検出装置。
【請求項７】
入力映像信号の所定のフィールドの信号と、その１フィールド遅延信号との相関を検出し、相関が“強”であるか“弱”であるかの検出結果を出力する第１の工程と、
前記入力映像信号の所定のフィールドの信号と、その２フィールド遅延信号との相関を検出し、相関が“強”であるか“弱”であるかの検出結果を出力する第２の工程と、
前記第１の工程で検出されたフィールド間相関が、所定のフィールド数に渡って２−２プルダウンパターンに一致している場合、前記入力映像信号を２−２プルダウン信号と判定する第３の工程と、
前記第３の工程により入力映像信号が２−２プルダウン信号と判定されている状態で、前記フィールド間相関が２−２プルダウンパターンに一致しなくなったとき、前記フィールド間相関の２−２プルダウンパターン上“強”であるべきところが“弱”になっているか否かを判定する第４の工程と、
前記第４の工程で前記フィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、前記入力映像信号に対する２−２プルダウン信号との判定を継続する第５の工程とを具備することを特徴とする２−２プルダウン信号検出方法。
【請求項８】
前記第５の工程は、所定のフィールド数に渡って前記条件が成立した場合に、前記入力映像信号が２−２プルダウン信号ではないと判定することを特徴とする請求項７記載の２−２プルダウン信号検出方法。
【請求項９】
前記第５の工程は、所定のフィールド数に渡って前記条件が成立したことにより、前記入力映像信号が２−２プルダウン信号であるとの判定から抜けた場合、前記第３の工程で前記入力映像信号を２−２プルダウン信号と判定するためのフィールド数を少なく設定することを特徴とする請求項８記載の２−２プルダウン信号検出方法。
【請求項１０】
前記第５の工程は、所定のフィールド数に渡って前記条件が成立したことにより、前記入力映像信号が２−２プルダウン信号であるとの判定から抜けた時点から、所定期間内に２−２プルダウン信号が検出されなかった場合、前記第３の工程で前記入力映像信号を２−２プルダウン信号と判定するためのフィールド数を元の数に戻すことを特徴とする請求項９記載の２−２プルダウン信号検出方法。
【請求項１１】
前記第５の工程は、前記条件が成立しても所定のフィールド数以内であれば、前記入力映像信号に対する２−２プルダウン信号との判定を継続することを特徴とする請求項８記載の２−２プルダウン信号検出方法。
【請求項１２】
前記第４の工程は、前記フィールド間相関の２−２プルダウンパターン上“強”であるべきところが“弱”になっている場合、前記入力映像信号が２−２プルダウン信号ではないと判定することを特徴とする請求項７記載の２−２プルダウン信号検出方法。
【請求項１３】
入力映像信号の現フィールド信号を１フィールド期間遅延した１フィールド遅延信号と、前記１フィールド遅延信号をさらに１フィールド期間遅延した２フィールド遅延信号とを出力するフィールド遅延手段と、
前記現フィールド信号、１フィールド遅延信号及び２フィールド遅延信号の少なくとも１つから第１補間信号を生成する補間信号生成手段と、
前記現フィールド信号、１フィールド遅延信号及び２フィールド遅延信号から、２−２プルダウン信号を検出する２−２プルダウン信号検出手段と、
前記２−２プルダウン信号検出手段の検出結果に基づいて、前記現フィールド信号及び２フィールド遅延信号の一方を選択し、ペアフィールド信号として出力する第１のセレクタと、
前記２−２プルダウン信号検出手段の検出結果に基づいて、前記第１補間信号及び前記ペアフィールド信号の一方を選択し、第２補間信号として出力する第２のセレクタと、
前記１フィールド遅延信号と前記第２補間信号とを合成して順次走査変換信号を出力する順次走査変換手段とを具備し、
前記２−２プルダウン信号検出手段は、
前記入力映像信号の所定のフィールドの信号と、その１フィールド遅延信号との相関を検出し、相関が“強”であるか“弱”であるかの検出結果を出力するフィールド間相関検出手段と、
前記入力映像信号の所定のフィールドの信号と、その２フィールド遅延信号との相関を検出し、相関が“強”であるか“弱”であるかの検出結果を出力するフレーム間相関検出手段と、
前記フィールド間相関検出手段で検出されたフィールド間相関が、所定のフィールド数に渡って２−２プルダウンパターンに一致している場合、前記入力映像信号を２−２プルダウン信号と判定する第１の判定手段と、
前記第１の判定手段により入力映像信号が２−２プルダウン信号と判定されている状態で、前記フィールド間相関が２−２プルダウンパターンに一致しなくなったとき、前記フィールド間相関の２−２プルダウンパターン上“強”であるべきところが“弱”になっているか否かを判定する第２の判定手段と、
前記第２の判定手段で前記フィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、前記入力映像信号に対する２−２プルダウン信号との判定を継続する第３の判定手段とを備えることを特徴とする順次走査変換装置。
【発明の詳細な説明】
【技術分野】
【０００１】
この発明は、例えば映画フィルム等から２−２プルダウン方式で生成されたプルダウン信号を検出する２−２プルダウン信号検出装置及び２−２プルダウン信号検出方法の改良に関する。
【背景技術】
【０００２】
周知のように、テレビジョン放送波として一般に用いられているＰＡＬ（phase alternation by line color television）方式の映像信号では、飛び越し走査方式で映像を走査することにより、等価的な毎秒当たりの映像数を多くして、画面フリッカを低減するようにしている。
【０００３】
一方、近年では、例えば液晶表示装置及びプラズマ表示装置等を使用した、薄型で大画面のテレビジョン受信装置が普及してきている。ところで、このような表示装置を用いて飛び越し走査方式の映像信号をそのまま各走査線に表示すると、画面の輝度が低下して鑑賞に堪えない映像となる。
【０００４】
このため、このような表示装置では、順次走査方式で映像を表示するようにしている。つまり、飛び越し走査方式の映像信号を、液晶表示装置のような順次走査方式の表示デバイスに表示する場合には、飛び越し走査方式の映像信号を順次走査方式の映像信号に変換するための変換回路が必要となる。
【０００５】
ここで、ＰＡＬ方式等の標準テレビジョン方式の映像信号の中には、映画フィルムの映像に基づいて生成された映像信号が含まれていることがある。すなわち、映画フィルムは、毎秒２４コマであり、一方、標準テレビジョン方式の映像信号は、毎秒２５フレーム（毎秒５０フィールド）の飛び越し走査方式の映像信号である。
【０００６】
このため、映画フィルムの映像を、２−２プルダウン方式により、飛び越し走査による標準テレビジョン方式の映像信号に変換している。このように映画フィルムから生成された飛び越し走査方式の映像信号は、プルダウン信号と称せられている。
【０００７】
例えば２−２プルダウン方式では、映画フィルムを走査してフレーム周波数が２４Ｈｚの順次走査方式の映像信号を生成し、この生成された映像信号の１フレームを２つのフィールドに対応させるように変換している。そして、この変換されたフィールド信号は、奇数フィールドと偶数フィールドとを交互に繰り返している。
【０００８】
ところで、プルダウン信号を順次走査方式の映像信号に変換する変換回路においては、入力された映像信号がプルダウン信号であるか否かを検出し、プルダウン信号である場合には元のフレームを再現するように順次走査方式への変換処理を実行することが重要である。特許文献１には、入力映像信号がプルダウン方式であるか否かを検出する構成が開示されている。
【特許文献１】特開２００２−２９０９２７公報
【発明の開示】
【発明が解決しようとする課題】
【０００９】
しかしながら、特許文献１に記載されたプルダウン信号の検出手段では、２−２プルダウン信号で一瞬（数フィールド）静止しているシーンになると、２−２プルダウン信号ではないと判定されてしまい、安定的に２−２プルダウン信号を検出することができないという問題を有している。
【００１０】
また、一瞬静止しているシーンになっても、２−２プルダウン信号であるとの検出結果を継続することができるようにすると、逆に、小さな動きを見逃してしまい、入力映像信号が２−２プルダウン信号でなくなった場合にも、２−２プルダウン信号であると誤検出することがある。
【００１１】
そこで、この発明は上記事情を考慮してなされたもので、静止シーン等に影響されることなく、入力された映像信号が２−２プルダウン信号であるか否かを正確に検出することができるようにした２−２プルダウン信号検出装置及び２−２プルダウン信号検出方法を提供することを目的とする。
【課題を解決するための手段】
【００１２】
この発明の実施の形態に係る２−２プルダウン信号検出装置は、入力映像信号の所定のフィールドの信号と、その１フィールド遅延信号との相関を検出し、相関が“強”であるか“弱”であるかの検出結果を出力するフィールド間相関検出手段と；入力映像信号の所定のフィールドの信号と、その２フィールド遅延信号との相関を検出し、相関が“強”であるか“弱”であるかの検出結果を出力するフレーム間相関検出手段と；フィールド間相関検出手段で検出されたフィールド間相関が、所定のフィールド数に渡って２−２プルダウンパターンに一致している場合、入力映像信号を２−２プルダウン信号と判定する第１の判定手段と；第１の判定手段により入力映像信号が２−２プルダウン信号と判定されている状態で、フィールド間相関が２−２プルダウンパターンに一致しなくなったとき、フィールド間相関の２−２プルダウンパターン上“強”であるべきところが“弱”になっているか否かを判定する第２の判定手段と；第２の判定手段でフィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、入力映像信号に対する２−２プルダウン信号との判定を継続する第３の判定手段とを備えるようにしたものである。
【００１３】
また、この発明の実施の形態に係る２−２プルダウン信号検出方法は、入力映像信号の所定のフィールドの信号と、その１フィールド遅延信号との相関を検出し、相関が“強”であるか“弱”であるかの検出結果を出力する第１の工程と；入力映像信号の所定のフィールドの信号と、その２フィールド遅延信号との相関を検出し、相関が“強”であるか“弱”であるかの検出結果を出力する第２の工程と；第１の工程で検出されたフィールド間相関が、所定のフィールド数に渡って２−２プルダウンパターンに一致している場合、入力映像信号を２−２プルダウン信号と判定する第３の工程と；第３の工程により入力映像信号が２−２プルダウン信号と判定されている状態で、フィールド間相関が２−２プルダウンパターンに一致しなくなったとき、フィールド間相関の２−２プルダウンパターン上“強”であるべきところが“弱”になっているか否かを判定する第４の工程と；第４の工程でフィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、入力映像信号に対する２−２プルダウン信号との判定を継続する第５の工程とを備えるようにしたものである。
【発明の効果】
【００１４】
上記した構成及び方法によれば、フィールド間相関の２−２プルダウンパターン上“強”であるべきところが“弱”になっていないと判定されたとき、現フィールドとその１フィールド前のフィールドとの相関が“強”、かつ、現フィールドの１フィールド前のフィールドと２フィールド前のフィールドとの相関が“強”、かつ、現フィールドとその２フィールド前のフィールドとの相関が“弱”という条件が成立していない場合に、入力映像信号に対する２−２プルダウン信号との判定を継続するようにしたので、静止シーン等に影響されることなく、入力された映像信号が２−２プルダウン信号であるか否かを正確に検出することができる。
【発明を実施するための最良の形態】
【００１５】
以下、この発明の実施の形態について図面を参照して詳細に説明する。図１は、この実施の形態で説明する順次走査変換装置の概略を示している。すなわち、飛び越し走査方式の入力映像信号である現フィールド信号Ｓ１は、第１のフィールド遅延回路１１に供給され、１フィールド後に１フィールド遅延信号Ｓ２として読み出される。
【００１６】
この第１のフィールド遅延回路１１は、例えば１フィールド分のメモリ領域を２つ有しており、入力される１フィールド分の映像信号が２つのメモリ領域に交互に記録されるようになっている。また、記録された映像信号の読み出しも、２つのメモリ領域に対して交互に行なわれるようになっている。
【００１７】
このため、記録された現フィールド信号Ｓ１が第１のフィールド遅延回路１１から１フィールド遅延信号Ｓ２として読み出されているとき、同時に、次の現フィールド信号Ｓ１が、第１のフィールド遅延回路１１に記録されることになる。
【００１８】
そして、１フィールド遅延回路１１から読み出された１フィールド遅延信号Ｓ２は、第２のフィールド遅延回路１２に供給され、１フィールド後に２フィールド遅延信号Ｓ３として読み出される。この第２のフィールド遅延回路１２の構成及び動作は、第１のフィールド遅延回路１１と同様である。
【００１９】
ここで、上記現フィールド信号Ｓ１、１フィールド遅延信号Ｓ２及び２フィールド遅延信号Ｓ３は、動画系補間信号生成回路１３に供給されている。この動画系補間信号生成回路１３は、入力された現フィールド信号Ｓ１、１フィールド遅延信号Ｓ２及び２フィールド遅延信号Ｓ３から、１フィールド遅延信号Ｓ２のライン間に位置される動画系補間信号を、例えば動きベクトルによる動き補償補間処理により生成している。
【００２０】
また、上記現フィールド信号Ｓ１及び２フィールド遅延信号Ｓ３は、静画系補間信号生成回路１４に供給されている。この静画系補間信号生成回路１４は、入力された現フィールド信号Ｓ１及び２フィールド遅延信号Ｓ３から、１フィールド遅延信号Ｓ２のライン間に位置される静画系補間信号を、例えば現フィールド信号Ｓ１と２フィールド遅延信号Ｓ３との平均値、または、２フィールド遅延信号Ｓ３そのものの値を用いて生成している。
【００２１】
さらに、上記現フィールド信号Ｓ１及び２フィールド遅延信号Ｓ３は、動き検出回路１５に供給されている。この動き検出回路１５は、入力された現フィールド信号Ｓ１及び２フィールド遅延信号Ｓ３からフレーム間の動きを検出し、動き検出信号を生成して混合回路１６に出力している。
【００２２】
この混合回路１６は、上記動画系補間信号生成回路１３から出力される動画系補間信号と、上記静画系補間信号生成回路１４から出力される静画系補間信号とを、動き検出回路１５から供給された動き検出信号に応じた混合比率で混合することにより、動き適応補間信号を生成し出力している。
【００２３】
また、上記現フィールド信号Ｓ１、１フィールド遅延信号Ｓ２及び２フィールド遅延信号Ｓ３は、２−２プルダウン信号検出回路１７に供給されている。この２−２プルダウン信号検出回路１７は、入力された現フィールド信号Ｓ１、１フィールド遅延信号Ｓ２及び２フィールド遅延信号Ｓ３から、１フィールド遅延信号Ｓ２が２−２プルダウン信号であるか否かの検出を行ない、２−２プルダウン信号検出信号とペアフィールド選択信号とを生成し出力している。
【００２４】
このうち、ペアフィールド選択信号は、第１のセレクタ１８に供給されている。この第１のセレクタ１８は、入力されたペアフィールド選択信号に基づいて、１フィールド遅延信号Ｓ２とペアになるフィールドとして、現フィールド信号Ｓ１と２フィールド遅延信号Ｓ３とのいずれか一方を選択し、この選択した信号をペアフィールド信号として第２のセレクタ１９に出力している。
【００２５】
この第２のセレクタ１９は、２−２プルダウン信号検出回路１７から出力される２−２プルダウン信号検出信号が２−２プルダウン信号を示す場合にはペアフィールド信号を選択し、そうでない場合には混合回路１６から供給される動き適応補間信号を選択し、選択した信号を補間信号として順次走査変換回路２０に出力している。
【００２６】
この順次走査変換回路２０は、第２のセレクタ１９から出力される補間信号と、直接信号である１フィールド遅延信号Ｓ２とを、順次走査順に整列（合成）して順次操作変換信号を生成し出力している。
【００２７】
図２は、上記２−２プルダウン信号検出回路１７の一例を示している。すなわち、上記現フィールド信号Ｓ１は、入力端子２１を介してフィールド間相関検出回路２２及びフレーム間相関検出回路２３に供給されている。
【００２８】
また、上記１フィールド遅延信号Ｓ２は、入力端子２４を介してフィールド間相関検出回路２２に供給されている。さらに、上記２フィールド遅延信号Ｓ３は、入力端子２５を介してフレーム間相関検出回路２３に供給されている。
【００２９】
このうち、フィールド間相関検出回路２２は、現フィールド信号Ｓ１と１フィールド遅延信号Ｓ２との間の相関を検出し、相関が“強”であるか“弱”であるかの検出結果を出力している。
【００３０】
また、フレーム間相関検出回路２３は、現フィールド信号Ｓ１と２フィールド遅延信号Ｓ３との間の相関を検出し、相関が“強”であるか“弱”であるかの検出結果を出力している。
【００３１】
フィールド間相関検出回路２２及びフレーム間相関検出回路２３では、例えば、次のような手法で相関を検出している。まず、２つの入力信号の差分絶対値を求め、この差分絶対値が任意の閾値よりも大きければ動画素、任意の閾値以下であれば静画素であると判定する。この後、１画面内で動画素の数をカウントし、動画素の数が別のある任意の閾値より大きければ相関が“弱”であると判定し、任意の閾値以下であれば相関が“強”であると判定している。
【００３２】
なお、上記の相関検出手段では、動画素の数をカウントする例を示したが、２つの入力信号の差分絶対値から動ブロックを求め、この動ブロックの数をカウントするようにしても良い。また、２つの入力信号の差分絶対値を１画面内で積分し、この積分値と任意の閾値とを比較することで相関を求めるようにしても良い。
【００３３】
そして、上記フィールド間相関検出回路２２の検出出力は、２−２プルダウンパターン検出回路２６に供給されている。この２−２プルダウンパターン検出回路２６は、複数フィールドに渡るフィールド間相関検出回路２２からのフィールド間相関検出結果に基づいて、２−２プルダウンパターンを検出している。
【００３４】
通常、２−２プルダウンパターンは、フィールド間相関で“強”と“弱”との繰り返しパターンとなる。例えば１０フィールド期間に渡るフィールド間相関が“強、弱、強、弱、強、弱、強、弱、強、弱”または“弱、強、弱、強、弱、強、弱、強、弱、強”なるパターンと一致するか否かを検出している。
【００３５】
そして、この２−２プルダウンパターン検出回路２６の検出出力、フィールド間相関検出回路２２の検出出力、フレーム間相関検出回路２３の検出出力は、２−２プルダウン信号判定回路２７に供給されている。
【００３６】
この２−２プルダウン信号判定回路２７は、２−２プルダウンパターン検出回路２６の出力、フィールド間相関検出回路２２の出力、フレーム間相関検出回路２３の出力に基づいて、入力映像信号が２−２プルダウン信号であるか否かを示す２−２プルダウン信号検出信号を生成し、出力端子２８を介して前記第２のセレクタ１９に出力するとともに、２−２プルダウン信号である場合にパターン中のペアフィールドを示すペアフィールド選択信号を生成し、出力端子２９を介して前記第１のセレクタ１８に出力している。
【００３７】
図３は、上記２−２プルダウン信号判定回路２７における判定動作の一例をまとめたフローチャートを示している。まず、判定処理が開始（ステップＳ３ａ）されると、２−２プルダウン信号判定回路２７は、ステップＳ３ｂで、現在、既に、入力映像信号を２−２プルダウン信号であると判定している状態か否かを判別する。
【００３８】
そして、入力映像信号を２−２プルダウン信号であると判定していない状態（Ｎｏ）では、２−２プルダウン信号判定回路２７は、ステップＳ３ｃ，Ｓ３ｄにおいて、フィールド間相関が任意のフィールド数以上、２−２プルダウンパターンと一致していると判断された場合に、ステップＳ３ｅで、２−２プルダウン信号と判定し、それ以外の場合は、ステップＳ３ｆで、通常のビデオ信号と判定して、処理を終了（ステップＳ３ｇ）する。
【００３９】
また、上記ステップＳ３ｂで入力映像信号を２−２プルダウン信号であると判定している状態（Ｙｅｓ）では、２−２プルダウン信号判定回路２７は、ステップＳ３ｈで、フィールド間相関が２−２プルダウンパターンと一致していると判断される限り、ステップＳ３ｅで、２−２プルダウン信号との判定が継続される。
【００４０】
一方、上記ステップＳ３ｈで、フィールド間相関が２−２プルダウンパターンと一致していないと判断された場合（Ｎｏ）、２−２プルダウン信号判定回路２７は、ステップＳ３ｉで、フィールド間相関の２−２プルダウンパターン上“強”であるべきところが“弱”になっているか否かを判別する。
【００４１】
そして、フィールド間相関の２−２プルダウンパターン上“強”であるべきところが“弱”になっていると判断された場合（Ｙｅｓ）、２−２プルダウン信号判定回路２７は、すぐにステップＳ３ｆで、通常のビデオ信号と判定して、処理を終了（ステップＳ３ｇ）する。
【００４２】
また、上記ステップＳ３ｉでフィールド間相関の２−２プルダウンパターン上“強”であるべきところが“弱”になっていないと判断された場合（Ｎｏ）、２−２プルダウン信号判定回路２７は、静止シーンによりフィールド間相関の２−２プルダウンパターンが崩れている可能性があるため、ステップＳ３ｊの判定に移行する。
【００４３】
ステップＳ３ｊでは、フィールド間相関が“強”、かつ、１フィールド前のフィールド間相関が“強”、かつ、フレーム間相関が“弱”（以下、これを状態Ａという）であるか否かを判別し、状態Ａでないと判断された場合（Ｎｏ）、静止シーンによりフィールド間相関の２−２プルダウンパターンが崩れていると判断して、ステップＳ３ｅで、２−２プルダウン信号との判定が継続される。
【００４４】
また、上記ステップＳ３ｊで状態Ａであると判断された場合（Ｙｅｓ）には、フィールド間相関検出回路２２が小さな動きを見逃している状態であるため、２−２プルダウン信号判定回路２７は、すぐに通常のビデオ信号とは判定せず、ステップＳ３ｋで、状態Ａが任意のフィールド数続いた場合に、通常のビデオ信号と判定する。
【００４５】
上記した実施の形態によれば、静止シーンによるフィールド間相関の２−２プルダウンパターンの崩れや、小さな動きを見逃すことによる２−２プルダウンパターンの誤検出等に影響されることなく、入力された映像信号が２−２プルダウン信号であるか否かを正確に検出することができる。
【００４６】
ここで、図４は、２−２プルダウン信号で一瞬静止したシーン付近での、フィールド間相関及びフレーム間相関の一例を示している。すなわち、２−２プルダウン信号での動画シーンでは、フィールド間相関がフィールド毎に“強”と“弱”とを交互に繰り返すパターン（２−２プルダウンパターン）となり、フレーム間相関が常に“弱”となる。
【００４７】
現状における２−２プルダウン信号検出は、フィールド間相関が２−２プルダウンパターンとなっていることで２−２プルダウン信号と判定し、フィールド間相関が２−２プルダウンパターンから外れたとき、通常ビデオ信号と判定している。
【００４８】
しかしながら、このような現状の検出手法では、２−２プルダウン信号で一瞬静止したシーンがあった場合、フィールド間相関が連続して“強”となるため、２−２プルダウンパターンから外れ、通常のビデオ信号と誤判定される。このようなシーンは、２−２プルダウン信号の中で頻繁に発生するため、２−２プルダウン信号であるにも関わらず、頻繁に通常ビデオ信号と誤判定されることになる。
【００４９】
これに対し、上記した実施の形態では、静止シーンによりフィールド間相関が２−２プルダウンパターンから外れても、フィールド間相関の２−２プルダウンパターン上“強”であるべきところが“弱”になっておらず、かつ、状態Ａでないときに、２−２プルダウン信号との判定を継続するようにしたので、静止シーンによる誤判定を防止することが可能となる。
【００５０】
一方、フィールド間相関の２−２プルダウンパターン上“強”となるべきフィールドで“弱”となった場合に通常ビデオ信号と判定し、“弱”となるべきフィールドで“強”となったことのみで２−２プルダウン信号との判定を継続させると、図５に示すような場合に、通常ビデオ信号を２−２プルダウン信号と誤判定することになる。
【００５１】
図５は、２−２プルダウン信号から通常ビデオ信号に移行したシーンでの、フィールド間相関及びフレーム間相関の一例を示している。フィールド間相関検出は、垂直位相の異なるフィールド間でフィールド間差分を取り相関を検出している。
【００５２】
静止シーンにおいて、フィールド間差分は垂直高域成分の影響により、フレーム間差分より大きくなる傾向がある。これを静止シーンと判定するようにするので、結果として、小さな動きがあるシーンで、フィールド間相関検出はフレーム間相関検出よりも相関が“強”と判定し易くなる。
【００５３】
このため、図５のような通常ビデオ信号の動きが少ないシーンで、フィールド間相関が連続して“強”となり、２−２プルダウン信号であるとの判定を、通所ビデオ信号に移行した後も継続してしまうことになる。
【００５４】
これに対し、上記した実施の形態では、フィールド間相関の２−２プルダウンパターン上“強”となるべきフィールドで“弱”とならず、かつ、状態Ａが所定のフィールド数以上続いた場合に、通常ビデオ信号であると判定することにより、通常ビデオ信号への移行を正確に検出することができる。
【００５５】
また、図６に示すように、２−２プルダウン信号で動きの少ないシーンが存在した場合にも、状態Ａを満足することになるが、状態Ａが所定のフィールド数以上続かなければ、２−２プルダウン信号であるとの判定が継続されるので、この点でも誤検出を防止することができる。
【００５６】
図７は、図３に示した２−２プルダウン信号判定回路２７における判定動作をさらに改良したフローチャートを示している。すなわち、開始（ステップＳ７ａ）されると、２−２プルダウン信号判定回路２７は、ステップＳ７ｂで、２−２プルダウン信号の判定状態から抜けた理由が、上記状態Ａが所定のフィールド数以上続いたこと（以下、これを条件Ｂという）であるか否かを判別する。
【００５７】
そして、２−２プルダウン信号の判定状態から抜けた理由が条件Ｂを満たしたことでないと判断された場合（Ｎｏ）、２−２プルダウン信号判定回路２７は、ステップＳ７ｃで、先に図３のステップＳ３ｄでカウントするフィールド数（２−２プルダウンパターン連続検出フィールド数）を設定値１として、処理を終了（ステップＳ７ｄ）する。
【００５８】
また、上記ステップＳ７ｂで２−２プルダウン信号の判定状態から抜けた理由が条件Ｂを満たしたことであると判断された場合（Ｙｅｓ）、２−２プルダウン信号判定回路２７は、ステップＳ７ｅで、２−２プルダウン信号の判定状態から抜けた後、任意のフィールド数以上が経過しても、２−２プルダウン信号に判定結果が変更されていないか否かを判別する。
【００５９】
そして、２−２プルダウン信号の判定状態から抜けた後、任意のフィールド数以上が経過する前において（Ｎｏ）、２−２プルダウン信号判定回路２７は、ステップＳ７ｆで、先に図３のステップＳ３ｄでカウントするフィールド数を、先の設定値１よりも小さい設定値２として、処理を終了（ステップＳ７ｄ）する。
【００６０】
また、上記ステップＳ７ｅで２−２プルダウン信号の判定状態から抜けた後、任意のフィールド数以上が経過しても２−２プルダウン信号に判定結果が変更されないと判断された場合（Ｙｅｓ）、２−２プルダウン信号判定回路２７は、ステップＳ７ｃで、先に図３のステップＳ３ｄでカウントするフィールド数を設定値１として、処理を終了（ステップＳ７ｄ）する。
【００６１】
すなわち、条件Ｂを満たしたことで２−２プルダウン信号の判定状態から抜けた場合、実際には、入力映像信号が２−２プルダウン信号である可能性がある。そこで、条件Ｂを満たしたことで２−２プルダウン信号の判定状態から抜けた場合には、図３のステップＳ３ｄでカウントするフィールド数を、先の設定値１よりも小さい早期復帰用の設定値２として、２−２プルダウン信号の判定状態に復帰し易くしている。
【００６２】
ただし、条件Ｂを満たしたことで２−２プルダウン信号の判定状態から抜けた場合であっても、ある任意のフィールド数以上経過しても２−２プルダウン信号の判定状態にならなければ、設定値２を通常の設定値１に戻している。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６４】
【図１】この発明の実施の形態を示すもので、順次走査変換装置の概略を説明するために示すブロック構成図。
【図２】同実施の形態における順次走査変換装置の２−２プルダウン信号検出回路の一例を説明するために示すブロック構成図。
【図３】同実施の形態における２−２プルダウン信号検出回路の２−２プルダウン信号判定回路の判定動作の一例を説明するために示すフローチャート。
【図４】静止シーンによってフィールド間相関の２−２プルダウンパターンが崩れることを説明するために示す図。
【図５】通常ビデオ信号の動きが少ないシーンによってフィールド間相関の２−２プルダウンパターンが崩れることを説明するために示す図。
【図６】２−２プルダウン信号の動きが少ないシーンによってフィールド間相関の２−２プルダウンパターンが崩れることを説明するために示す図。
【図７】同実施の形態における２−２プルダウン信号判定回路の判定動作を改良した一例を説明するために示すフローチャート。
【符号の説明】
【００６５】
１１…第１のフィールド遅延回路、１２…第２のフィールド遅延回路、１３…動画系補間信号生成回路、１４…静画系補間信号生成回路、１５…動き検出回路、１６…混合回路、１７…２−２プルダウン信号検出回路、１８…第１のセレクタ、１９…第２のセレクタ、２０…順次走査変換回路、２１…入力端子、２２…フィールド間相関検出回路、２３…フレーム間相関検出回路、２４，２５…入力端子、２６…２−２プルダウンパターン検出回路、２７…２−２プルダウン信号判定回路、２８，２９…出力端子。
【図１】
2007053695.tif 000003
【図２】
2007053695.tif 000004
【図３】
2007053695.tif 000005
【図４】
2007053695.tif 000006
【図５】
2007053695.tif 000007
【図６】
2007053695.tif 000008
【図７】
2007053695.tif 000009